【手続補正書】
【提出日】平成17年8月8日(2005.8.8)
【手続補正１】
【補正対象書類名】特許請求の範囲
【補正対象項目名】全文
【補正方法】変更
【補正の内容】
【特許請求の範囲】
【請求項１】
ライナーを備えた容器であって、前記容器が、型内でのその成形時に前記ライナーを提供されており、前記容器が、成形された高分子材料で作られている容器本体から構成されており、前記容器本体が、物品を貯蔵することができる収納空間を画定しており、成形された前記ライナーが、前記容器本体の収納空間側の少なくとも一部に設けられており、且つ前記ライナーが、バリヤー材若しくは透過性向上材料を含み、又は吸収材、放出材若しくは活性化材料を含む組成物である、ライナーを備えた容器。
【請求項２】
前記吸収材が乾燥用化合物である、請求項１に記載の容器。
【請求項３】
前記乾燥用化合物が、水和物形成性化合物、化学反応性化合物、及び物理的吸収に関係する組成物からなる群から選択される、請求項２に記載の容器。
【請求項４】
前記吸収材が無水塩である、請求項１に記載の容器。
【請求項５】
前記吸収材が、モレキュラーシーブ、シリカゲル、モンモリロナイトクレーを含めたクレー、合成ポリマー、及びデンプンからなる群から選択される、請求項１に記載の容器。
【請求項６】
前記吸収材が、ニッケル、銅、アルミニウム、ケイ素、はんだ、銀、金を含めた金属及び合金と、銀めっきした銅、銀めっきしたニッケル、銀めっきしたガラスミクロスフェアを含めた金属めっきを施した粒子と、ＢａＴｉＯ３、ＳｒＴｉＯ３、ＳｉＯ２、Ａｌ２Ｏ３、ＺｎＯ、ＴｉＯ２、ＭｎＯ、ＣｕＯ、Ｓｂ２Ｏ３、ＷＣ、溶融シリカ、フュームドシリカ、非晶質溶融シリカ、ゾル−ゲルシリカ、ゾル−ゲルチタン酸塩、混合チタン酸塩、イオン交換樹脂、リチウム含有セラミック、中空ガラスミクロスフェアを含めた無機材料と、炭素、活性炭、カーボンブラック、ケッチェムブラック、ダイヤモンド粉末を含めた炭素に基づく材料と、ポリブタジエン、ポリシロキサン含めたエラストマーと、セラミック、半金属を含めた材料とからなる群から選択される、請求項１に記載の容器。
【請求項７】
前記吸収材がＣＯ２の吸収材である、請求項１に記載の容器。
【請求項８】
前記吸収材が酸化カルシウムである、請求項７に記載の容器。
【請求項９】
前記容器本体の壁が、酸素の通過に対するバリヤーを提供する成形された高分子材料から構成されており、かつ前記ライナー組成物が、酸素吸収材から構成されている、請求項１に記載の容器。
【請求項１０】
前記容器の壁の収納空間側に配置されている酸素透過性スキン層を更に有する、請求項９に記載の容器。
【請求項１１】
前記ライナーが発泡体である、請求項１に記載の容器。
【請求項１２】
前記放出材が、芳香剤又は風味料を放出する、請求項１に記載の容器。
【請求項１３】
前記放出材が、殺虫剤、防虫剤、殺菌薬、毒餌、芳香性治療用組成物、給湿用組成物、乾燥用組成物、腐食防止剤、気体状化合物の補給剤、及び熟成剤からなる群から選択される化合物を放出する、請求項１に記載の容器。
【請求項１４】
前記放出材が、殺生物剤、好ましくは殺虫剤、除草剤、抗線虫薬、殺黴剤、殺鼠薬、及び／又はそれらの混合物からなる群から選択される殺生物剤である、請求項１に記載の容器。
【請求項１５】
前記放出材が、天然の精油、合成の香料、及びそれらの混合物からなる群から選択される芳香剤である、請求項１４に記載の容器。
【請求項１６】
前記芳香剤が、レモン油、マンダリン油、丁子油、プチグレン油、シーダー油、パチョリ油、ラバンジン油、橙花油、イラン油、無水ローズ、及び無水ジャスミンと、ラブダナム樹脂又は乳香樹脂を含めた天然樹脂と、ゲラニオール、ネロール、シトロネロール、リナロール、テトラヒドロゲラニオール、βフェニルエチルアルコール、メチルフェニルカルビノール、ジメチルベンジルカルビノール、メントール、又はセドロールを含めたアルコール類と、酢酸エステル類、上記アルコール類とシトラール、シトロネラール、ヒドロキシシトロネラール、ラウリンアルデヒド、ウンデシレンアルデヒド、シンナムアルデヒド、アミルシンナミックアルデヒド、バニリン、又はヘリオトロピンなどのアルデヒド類とから誘導されるその他のエステル類と、上記アルデヒド類から誘導されるアセタール類と、メチルヘキシルケトン、イオノマー類、及びメチルイオノン類を含めたケトン類と、オイゲノール及びイソオイゲノールを含めたフェノール化合物と、ムスクキシレン、ムスクケトン、及びブラッシル酸エチレンを含めた合成ムスク類とからなる群から選択される、請求項１２に記載の容器。
【請求項１７】
前記活性化材料が、水分、酸素、酸又は塩基によって活性化される、請求項１に記載の容器。
【請求項１８】
前記活性化材料が、酵素系、好ましくはグルコースオキシダーゼ、グルコース／グルコースオキシダーゼの組合せ、グルコースオキシダーゼ／スクロースの組合せ、デンプン／アミラーゼ／グルコースオキシダーゼの組合せ、セルロース／セルラーゼ／グルコースオキシダーゼの組合せ、粉乳／ラクターゼ／グルコースオキシダーゼの組合せ、グルコースオキシダーゼ／グルコースイソメラーゼ／フルクトースの組合せ、グルコースオキシダーゼ／ラクターゼ／ホエー固形物／ラクトースの組合せ、グルコースオキシダーゼ／ラクターゼ／ラクトースの組合せ、グルコースオキシダーゼ／マルターゼ／デンプンの組合せ、グルコースオキシダーゼ／マルターゼ／マルトースの組合せ、マッシュルームチロシナーゼ／チロシンの組合せ、グルコースオキシダーゼ／スクロース／スクラーゼの組合せ、アルコール／アルコールオキシダーゼ、乳酸／乳酸オキシダーゼ、アミノ酸／アミノ酸オキシダーゼ、ガラクトース／ガラクトースオキシダーゼ、キサンチン／キサンチンオキシダーゼ、アミン／アミンオキシダーゼ、アスコルビン酸塩／アスコルビン酸塩オキシダーゼ、ケリオン／ケリオンオキシダーゼ、及びこれら系の任意の組合せからなる群から選択される酵素系によって活性化される、請求項１に記載の容器。
【請求項１９】
前記活性化材料が、過酸化水素を発生させる、請求項１に記載の容器。
【請求項２０】
前記ライナーが酸素バリヤー特性を示す、請求項１に記載の容器。
【請求項２１】
前記ライナーがエチレンビニルアルコールを含む、請求項１に記載の容器。
【請求項２２】
吸収材、放出材、バリヤー材、及び活性化材料からなる群から選択される材料を含むライナー組成物を、容器を形成するための型内に導入すること、
続いて前記容器の内側に前記ライナーを配置する位置で、型に流動性プラスチック材料を導入すること、そして
前記型を閉じること、
を含む、型内での成形時に提供されたライナーを有する容器の形成方法。
【請求項２３】
前記容器を、押出、射出成形又は吹込成形によって形成する、請求項２２に記載の方法。
【請求項２４】
前記ライナーを、ピックアンドプレイス機構によって型内に導入する、請求項２２に記載の方法。
【請求項２５】
前記流動性高分子材料を導入する前に、前記ライナーをコア上に配置する、請求項２２に記載の方法。
【請求項２６】
真空を利用すること、又はコア若しくはラベルに静電荷を帯びさせることによって、前記ライナーをコア上に保持する、請求項２２に記載の方法。
【請求項２７】
まず前記ライナーをコアに適用し、次にそのライナーを熱風で加熱してこの高分子ライナーを収縮させる工程を更に含む、請求項２２に記載の方法。
【請求項２８】
前記ライナーが、前記流動性高分子材料を導入するのに先立って型内に挿入される管の形をしたインサートである、請求項２２に記載の方法。
【請求項２９】
前記ライナーが、前記容器壁の収納空間側の少なくとも一部に設けられており、前記ライナーが、ラベル層及びライナー組成物層を含んでおり、前記ライナー組成物層が、吸収材、放出材、バリヤー材、及び活性化材料からなる群より選択される材料を含んでいる、請求項１に記載のライナーを備えた容器。
【請求項３０】
前記ラベルが、容器の外側の壁に向いている字句又は図による情報を有する、請求項２９に記載の容器。
【請求項３１】
前記ラベル層と前記ライナー組成物層とが共積層されている、請求項２９に記載の容器。
【請求項３２】
前記容器が、成形された高分子材料で作られている壁を有する容器本体から構成されており、前記壁が、物品を貯蔵することができる収納空間を画定しており、前記容器の壁の収納空間側の少なくとも一部にライナーが設けられており、前記ライナーが、前記容器の収納空間側に隣接したスキン層と、吸収材、放出材、バリヤー材、及び活性化材料からなる群から選択される材料を有する容器の壁に隣接したライナー組成物層とから構成されている、請求項１に記載の容器。
【請求項３３】
前記スキン層が、前記ライナー組成物層中に配置される前もって選択された成分又は前記容器の収納空間側に配置される前もって選択された成分に関して透過性である、請求項３２に記載の容器。
【請求項３４】
吸収材、放出材、バリヤー材、及び活性化材料からなる群より選択される材料を含む、第一の成形された内側ライナー層と、
前記第一のライナー層上に重ね合わされた第一の高分子組成物から構成されている、第一の成形された容器本体層と、
吸収材、放出材、バリヤー材、及び活性化材料からなる群より選択される材料を含み、且つ前記第一の成形された容器本体層上に重ね合わされている、第二の成形された中間ライナー層と、
前記第二の成形されたライナー層上に重ね合わされた第二の高分子組成物から構成されている、第二の成形された容器本体層と、
から構成されている容器本体層及びライナー層を有する、請求項１に記載の容器。
【請求項３５】
前記第一の成形された内側ライナー層が、前記第二の成形された内側ライナー層と同一の材料、又は前記第二の成形された内側ライナー層とは別の材料から構成されている、請求項３４に記載の容器。
【請求項３６】
前記第一の成形された容器本体層が、前記第二の成形された容器本体層と同一の材料、又は前記第二の成形された容器本体層とは別の材料から構成されている、請求項３４に記載の容器。